(57)【要約】【課題】部品点数や作業工数が低減され、その結果簡単に大型の面光源装置を低製造コストで作成することが可能で、さらには光量の少ない発光素子であってもコントラストを向上させることが可能なリフレクター枠体およびリフレクター枠体を備えた面光源装置、ならびに、その面光源装置を用いた表示装置を提供すること。【解決手段】発光素子がアレイ状に複数配置された発光素子実装用基板上に配置されるリフレクター枠体であって、前記発光素子の配置位置に対応して、複数の開口部を備えたことを特徴とする。【選択図】図３
2007180524.tif 000002
【特許請求の範囲】
【請求項１】
発光素子がアレイ状に複数配置された発光素子実装用基板上に配置されるリフレクター枠体であって、
前記発光素子の配置位置に対応して、複数の開口部を備えたことを特徴とするリフレクター枠体。
【請求項２】
前記開口部に、発光色の異なる前記発光素子が複数個配置されることを特徴とする請求項１に記載のリフレクター枠体。
【請求項３】
前記発光色の異なる発光素子が、
赤色、緑色、青色の発光色を有する３種類の発光素子を、それぞれ一つ以上組み合わせてなるものであることを特徴とする請求項２に記載のリフレクター枠体。
【請求項４】
前記開口部内に、発光色が白色の発光素子が設けられていることを特徴とする請求項１に記載のリフレクター枠体。
【請求項５】
前記開口部が、略円形または略矩形であることを特徴とする請求項１から４のいずれかに記載のリフレクター枠体。
【請求項６】
前記開口部には、その外方に向いて拡開してなる反射面を有することを特徴とする請求項１から５のいずれかに記載のリフレクター枠体。
【請求項７】
前記発光素子が、発光ダイオード（ＬＥＤ）であることを特徴とする請求項１から６のいずれかに記載のリフレクター枠体。
【請求項８】
前記発光ダイオード（ＬＥＤ）が、発光ダイオード（ＬＥＤ）チップであることを特徴とする請求項７に記載のリフレクター枠体。
【請求項９】
前記発光素子がアレイ状に複数配置された前記発光素子実装用基板の上面に、請求項１から８のいずれかに記載のリフレクター枠体が配置されていることを特徴とする面光源装置。
【請求項１０】
前記リフレクター枠体の開口部に透明な封止樹脂が埋設されていることを特徴とする請求項９に記載の面光源装置。
【請求項１１】
前記面光源装置が、表示装置用のバックライトであることを特徴とする請求項９または１０に記載の面光源装置。
【請求項１２】
請求項９から１１のいずれかに記載の面光源装置の上面に、液晶パネルが配置されていることを特徴とする表示装置。
【請求項１３】
発光素子実装用基板上に複数の発光素子をアレイ状に配置する工程と、
前記発光素子の配置位置に対応して、複数の開口部が形成されたリフレクター枠体を準備する工程と、
前記発光素子実装用基板上の前記発光素子と対応する配置位置に、前記リフレクター枠体を配置する工程と、
を有することを特徴とする面光源装置の製造方法。
【請求項１４】
前記リフレクター枠体の開口部に透明な封止樹脂を埋設する工程をさらに含むことを特
徴とする請求項１３に記載の面光源装置の製造方法。
【請求項１５】
請求項１３または１４に記載の製造方法によって得られた前記面光源装置を準備する工程と、
前記面光源装置の上面に液晶パネルを配置する工程と、
を有することを特徴とする表示装置の製造方法。
【発明の詳細な説明】
【技術分野】
【０００１】
本発明は、例えば、照明や液晶表示装置用のバックライトの光源として使用する場合に、発光素子の発光輝度を実質的に増大させるリフレクター枠体およびリフレクター枠体を備えた面光源装置、ならびに、その面光源装置を用いた表示装置に関する。
【背景技術】
【０００２】
近年、例えば液晶ディスプレイなどのように、パネルの背面や側面などから光を照射するための面光源装置（バックライト）を用いた表示装置が広く用いられている。従来、液晶ディスプレイ用のバックライト光源は、薄型化、低消費電力化のため、光源として冷陰極管を筐体の端面に配置した、いわゆるエッジライト型のものが主流であった。
【０００３】
このようなエッジライト型のバックライト光源としては、図９に示した構造のものが用いられている。
すなわち、このエッジライト型のバックライト光源１００は、筐体１０２の端部に、冷陰極管１０４が配置されている。そして、この冷陰極管１０４の側方に、導光板１０６が面状に配置され、この導光板１０６の上面に、拡散シート１０８が配置されて、バックライト光源１００が構成されている。
【０００４】
なお、導光板１０６の下面には、例えば、微小凹凸やドット形状の反射インキなどからなる反射層１１６が形成されている。
そして、このバックライト光源１００の拡散シート１０８の上面に、液晶パネル１１０が配置されることによって、液晶表示装置１１２が構成されるものである。
【０００５】
このエッジライト型のバックライト光源１００では、冷陰極管１０４を発光させることによって、冷陰極管１０４から出射された光が、導光板１０６の側部１１４から入射する。
【０００６】
そして、導光板１０６に入射した光は、導光板１０６の下面に設けられた、例えば、微小凹凸やドット形状の反射インキなどからなる反射層１１６と、導光板１０６の上面１１８の間で反射を繰り返しながら拡散されて、導光板１０６の上面１１８の上方へ均一に導光される。
【０００７】
これにより、拡散シート１０８で均一に拡散されて、液晶パネル１１０の輝度むらが低減するようになっている。
しかしながら、液晶ディスプレイは、近年大型化の要求が高まり、このようなエッジライト型のバックライト光源１００では、輝度の向上および均一化を図るには限界がある。
【０００８】
そのため、大型の液晶ディスプレイ用では、直下型ライトの採用が検討されている。
しかしながら、このような冷陰極管を直下型ライトとして用いた場合には、冷陰極管が比較的大型であるため、液晶ディスプレイの厚みが厚くなってしまう。また、冷陰極管は色再現性、応答性が良好ではなく、残像現象が生じてしまうなどの問題がある。
【０００９】
一方、近年、発光効率が著しく向上し、照明への応用が進んでいる固体発光素子の中で、特に発光ダイオード（ＬＥＤ：Light Emitting Diode）を液晶ディスプレイ用のバックライト光源（面光源）として用いることが検討されている。
【００１０】
このように発光ダイオードを液晶ディスプレイ用のバックライト光源として用いれば、表示画面の大型化の要求にも応えることができるとともに、良好な色再現性と高速応答性が実現でき、高品位な画質を達成することが期待されている。
【００１１】
このため、液晶パネルの下方に、ＬＥＤを複数個一定間隔で配置した直下型のバックライト光源が提案されている。
この直下型のバックライト光源としては、図１０に示した構造のものが提案されている。
【００１２】
すなわち、この直下型のバックライト光源２００は、発光源として複数の発光ダイオード２０６を列状に配列させた図示しない基板としてのＬＥＤ基板（実装基板）を筐体２０２の底面２０４に備えている。なお、図１０では、発光ダイオード２０６の横一列のみを示しているが、この列は底面２０４に縦横に所定間隔置きにアレイ状に複数個配置されている。
【００１３】
そして、この筐体２０２の上面に、これらの発光ダイオード２０６と離間して、拡散シート２０８が配置され、この拡散シート２０８の上面にプリズムシート２１０が配置されて、バックライト光源２００が構成されている。
【００１４】
なお、筐体２０２の底面２０４と側面２１２には、例えば反射シートなどによって反射層２１４が形成されている。
このように構成される直下型のバックライト光源２００では、発光ダイオード２０６を発光させることによって、発光ダイオード２０６から出射された光が、拡散シート２０８に向かって直接、および筐体２０２の底面２０４と側面２１２の反射層２１４に反射されることによって、拡散シート２０８に向かって進むようになっている。
【００１５】
そして、拡散シート２０８に入射された光は、拡散シート２０８によって乱反射され、拡散シート２０８の上面のプリズムシート２１０を通過することによって、垂直方向に光線が傾けられ、プリズムシート２１０の上面に配置された液晶パネル（図示せず）に入射するようになっている。
【００１６】
また、発光ダイオード２０６から出射された光は、拡散シート２０８との間の空間で混じりあい、さらに、拡散シート２０８内で乱反射することにより混合が促進され、これによって、輝度と色度が均一化されるようになっている。
【００１７】
ところで、このような直下型のバックライト光源２００に発光ダイオードを用いる場合には、光の三原色である赤色、緑色、青色の光を発光する発光ダイオード（ＬＥＤ）チップを１パッケージに入れ、これらが混色されることによって白色を発光させる、いわゆるスリーインワンパッケージのＬＥＤランプが好適に使用されている（例えば、非特許文献１（スタンレー電気株式会社ホームページ）参照）。
【００１８】
このようなスリーインワンパッケージ３００は、図１１（ａ）および図１１（ｂ）に示したように、外形が数ｍｍ角である略矩形状の発光素子実装用基板３１０の中心に、略０．３５ｍｍ角の赤色に発光するＬＥＤチップ３０２と、緑色に発光するＬＥＤチップ３０４と、青色に発光するＬＥＤチップ３０６とが、各々１つずつ略正三角形の各頂点に近接して配置されている。
【００１９】
また、ＬＥＤチップ３０２、３０４、３０６の外周域には、開口端が先細りとなるように傾斜して形成された開口部３１２を有するリフレクター枠体３０８が配置されている。
このようなスリーインワンパッケージ３００では、リフレクター枠体３０８の開口部３
１２にＬＥＤチップ３０２、３０４、３０６より発光される３色の発光が反射することによって、これらの色が混色され白色光を容易に得ることができるようになっている。
【００２０】
このようにスリーインワンパッケージ３００は、従来ＬＥＤチップ３０２、３０４、３０６より発光される３色の光の反射、混色がなされるリフレクター枠体３０８が具備されることにより、効率良く白色光を得るようになっている。
【００２１】
また、図１２は、リフレクター枠体４０２によって反射される光がさらに効率良く反射されるようリフレクター枠体４０２の内周面に、反射材４０４を配置した従来の発光表示装置４００を示したものである（特許文献１（特開２００１−１６８３９６号公報）参照）。
【００２２】
リフレクター枠体４０２の内周面に反射材４０４等が介在されていない場合には、各ＬＥＤランプ４０６より出射された光は、リフレクター枠体４０２の内周面に若干吸収されてしまう。
【００２３】
しかしながら、この発光表示装置４００によれば、リフレクター枠体４０２の内周面に反射材４０４が被覆されているため、各ＬＥＤランプ４０６より照射された光が反射材４０４によって効率良く反射し、ＬＥＤランプ４０６から出射される光を減衰させずに効率良く利用することができる。
【００２４】
したがって、図１２に示した発光表示装置４００によれば、仮に光量の少ないＬＥＤであってもコントラストを向上させて鮮明な画像を得ることができる。
このようなリフレクター枠体４０２は、３色のＬＥＤランプで構成される各スリーインワンパッケージに対応してそれぞれ一つずつ設けられているのが通常である。
【００２５】
すなわち、ＬＥＤランプが液晶ディスプレイなど大型のバックライト光源として用いられる場合には、リフレクター枠体４０２を一体的に具備したスリーインワンパッケージが多数用意され、これら多数のスリーインワンパッケージを発光素子実装用基板上にアレイ状に並べて配置することでバックライト光源が形成されている。
【非特許文献１】スタンレー電気株式会社ホームページ、[online]、インターネット＜http://www.stanley-components.com＞
【特許文献１】特開２００１−１６８３９６号公報
【発明の開示】
【発明が解決しようとする課題】
【００２６】
しかしながら、このような発光ダイオードを備えた複数のパッケージを予め製造しておき、これらのパッケージを発光素子実装用基板上に並べて配置する方法は、例えば液晶ディスプレイなどの大型の面光源装置に適用しようとすると、部品点数および作業工数が多くなり、その結果、製造コストが嵩むという問題がある。
【００２７】
このような問題を解決するため、リフレクター枠体を用いず、３種類の発光ダイオードを直線状に複数配置するだけで面光源装置を構成することが考えられるが、リフレクター枠体を用いない場合には、光量の少ない発光ダイオードの発光量のみが頼りであり、発光ダイオードの発光量のみでは面光源装置のコントラストを向上させるには不十分である。
【００２８】
本発明は、このような現状に鑑み、製造コストを抑えて大型の面光源装置に容易に適用することが可能で、さらには光量の少ない発光素子であってもコントラストを向上させることが可能なリフレクター枠体およびリフレクター枠体を備えた面光源装置、ならびに、その面光源装置を用いた表示装置を提供するものである。
【課題を解決するための手段】
【００２９】
本発明者らは、上記課題を解決するため本発明のリフレクター枠体およびリフレクター枠体を備えて成る面光源装置を見出した。
すなわち、本発明は例えば以下の（１）〜（１５）の態様を含む。
（１）
発光素子がアレイ状に複数配置された発光素子実装用基板上に配置されるリフレクター枠体であって、
前記発光素子の配置位置に対応して、複数の開口部を備えたことを特徴とするリフレクター枠体。
（２）
前記開口部に、発光色の異なる前記発光素子が複数個配置されることを特徴とする前記（１）に記載のリフレクター枠体。
（３）
前記発光色の異なる発光素子が、
赤色、緑色、青色の発光色を有する３種類の発光素子を、それぞれ一つ以上組み合わせてなるものであることを特徴とする前記（２）に記載のリフレクター枠体。
（４）
前記開口部内に、発光色が白色の発光素子が設けられていることを特徴とする前記（１）に記載のリフレクター枠体。
（５）
前記開口部が、略円形または略矩形であることを特徴とする前記（１）から（４）のいずれかに記載のリフレクター枠体。
（６）
前記開口部には、その外方に向いて拡開してなる反射面を有することを特徴とする前記（１）から（５）のいずれかに記載のリフレクター枠体。
（７）
前記発光素子が、発光ダイオード（ＬＥＤ）であることを特徴とする前記（１）から（６）のいずれかに記載のリフレクター枠体。
（８）
前記発光ダイオード（ＬＥＤ）が、発光ダイオード（ＬＥＤ）チップであることを特徴とする前記（７）に記載のリフレクター枠体。
（９）
前記発光素子がアレイ状に複数配置された前記発光素子実装用基板の上面に、前記（１）から（８）のいずれかに記載のリフレクター枠体が配置されていることを特徴とする面光源装置。
（１０）
前記リフレクター枠体の開口部に透明な封止樹脂が埋設されていることを特徴とする前記（９）に記載の面光源装置。
（１１）
前記面光源装置が、表示装置用のバックライトであることを特徴とする前記（９）または（１０）に記載の面光源装置。
（１２）
前記（９）から（１１）のいずれかに記載の面光源装置の上面に、液晶パネルが配置されていることを特徴とする表示装置。
（１３）
発光素子実装用基板上に複数の発光素子をアレイ状に配置する工程と、
前記発光素子の配置位置に対応して、複数の開口部が形成されたリフレクター枠体を準備する工程と、
前記発光素子実装用基板上の前記発光素子と対応する配置位置に、前記リフレクター枠
体を配置する工程と、
を有することを特徴とする面光源装置の製造方法。
（１４）
前記リフレクター枠体の開口部に透明な封止樹脂を埋設する工程をさらに含むことを特徴とする前記（１３）に記載の面光源装置の製造方法。
（１５）
前記（１３）または（１４）に記載の製造方法によって得られた前記面光源装置を準備する工程と、
前記面光源装置の上面に液晶パネルを配置する工程と、
を有することを特徴とする表示装置の製造方法。
【発明の効果】
【００３０】
本発明のリフレクター枠体およびリフレクター枠体を備えた面光源装置、ならびに、その面光源装置を用いた表示装置によれば、部品点数や作業工数が低減され、その結果簡単に大型の面光源装置を低製造コストで作成することが可能で、さらには光量の少ない発光素子であってもコントラストを向上させて鮮明な画像を得ることが可能になる。
【発明を実施するための最良の形態】
【００３１】
以下、本発明の実施の形態を図面に基づいてより詳細に説明する。なお、本発明は以下の実施の形態に限定されるものではない。
図１は、本実施の形態が適用される代表的な液晶表示装置の全体構成を示す図である。
【００３２】
本実施の形態が適用される液晶表示装置は、直下型のバックライト装置（バックライト）５０として、発光部を収容するバックライトフレーム５１と、発光源として固体発光素子である発光ダイオード（ＬＥＤ）を複数個、配列させた基板としてのＬＥＤ基板（発光素子実装用基板）５２とを備えている。
【００３３】
本発明のリフレクター枠体は、このＬＥＤ基板５２上に配置される。また、バックライト装置５０は、光学補償シートの積層体として、面全体を均一な明るさとするために光を散乱・拡散させる拡散部材（板、フィルム）５３と、前方への集光効果を持たせた回折格子フィルムであるプリズムシート５４，５５とを備えている。
【００３４】
また、液晶表示モジュール６０として、２枚のガラス基板により液晶が挟まれている液晶パネル６１と、この液晶パネル６１の各々のガラス基板に積層され、光波の振動をある方向に制限するための偏光板（偏光フィルタ）６２，６３とを備えている。
【００３５】
更に、液晶表示装置には、図示しない駆動用ＬＳＩなどの周辺部材が配置される。
この液晶パネル６１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等を備えている。
【００３６】
尚、バックライト装置５０の構成単位は任意に選択される。例えば、ＬＥＤ基板５２を有するバックライトフレーム５１だけの単位にて「バックライト装置(バックライト)」と呼び、拡散部材（板、シート）５３やプリズムシート５４，５５などの光学補償シートの積層体を含まない流通形態もあり得る。
【００３７】
バックライトフレーム５１は、例えばアルミニウムやマグネシウム、鉄、またはそれらの金属合金などで生成される筐体構造を形成している。そして、その筐体構造の内側に、例えば白色高反射の性能を有するポリエステルフィルムなどが貼られ、リフレクターとし
ての機能を備えている。
【００３８】
この筐体構造としては、液晶表示モジュール６０の大きさに対応して設けられる背面部と、この背面部の四隅を囲う側面部を備えている。また、この背面部や側面部には、排熱のための冷却フィン等からなるヒートシンク構造が必要によって形成される場合がある。
【００３９】
図２（ａ）は、例えば、発光素子実装用基板に３色のＬＥＤランプが取り付けられた状態を示す上面図で、図２（ｂ）は図２（ａ）のＸ−Ｘ線による断面図である。図３（ａ）は本発明の一実施形態に係るリフレクター枠体を備えた面光源装置の上面図で、図３（ｂ）は図３（ａ）のＸ−Ｘ線による分解断面図である。図４（ａ）は本発明の一実施形態に係るリフレクター枠体を備えた面光源装置の上面図で、図４（ｂ）は図４（ａ）のＸ−Ｘ線による組立断面図である。
【００４０】
本実施形態によるリフレクター枠体を備えた面光源装置は、例えば照明や液晶表示装置用のバックライトの光源として使用されるもので、本実施例では、３色異なる色のＬＥＤランプを使用することで白色が得られる。
【００４１】
図２に示したように、本実施形態では、先ず、発光素子実装用基板２２上に赤色に発光するＬＥＤチップ２４、緑色に発光するＬＥＤチップ２６、青色に発光するＬＥＤチップ２８が複数配置される。これら異なる色のＬＥＤチップ２４、２６、２８は、それぞれ別個に形成し配置することもできるが、予め一つのユニットとしてＬＥＤ集合体３０を構成しておき、これらのＬＥＤ集合体３０を発光素子実装用基板２２上に配列することが好ましい。このようにすれば、作業工数を少なくすることができるとともに、白色の均一化を図ることができる。
【００４２】
また、発光素子実装用基板２２の電極パッド（図示せず）と、ＬＥＤチップ２４、２６、２８の電極（図示せず）とは、金線のワイヤによりワイヤボンディングされている。
このようなＬＥＤ集合体３０が多数設置される発光素子実装用基板２２は、液晶ディスプレイなどの表示装置の表示部分を分割した大きさであっても良いが、表示部分と略同じ大きさであることが好ましい。
【００４３】
一方、発光素子実装用基板２２の上に配置されるリフレクター枠体１０は、図３（ａ）および図３（ｂ）に示したように、発光素子実装用基板２２と略同じ大きさに形成されている。なお、このリフレクター枠体１０は、発光素子実装用基板２２と同じ大きさでなくても良く、例えば、発光素子実装用基板２２が分割体で構成される場合は、その整数倍であることが好ましい。本実施例のリフレクター枠体１０は、表示装置の表示部分全体と同じ大きさで、発光素子実装用基板２２も同様の大きさに形成されている。
【００４４】
このような一枚物からなるリフレクター枠体１０には、ＬＥＤ集合体３０に対応する部分に、予め開口部１２が所定間隔置きに複数設けられている。
このようなリフレクター枠体１０の材質は、特に限定されるものではないが、アクリル樹脂、ポリカーボネート、液晶ポリマーやポリアミド樹脂等の熱可塑性樹脂や、エポキシ樹脂等の熱硬化性樹脂を所望のリフレクター枠体１０の形状に成形し、表面にアルミニウムや銀などの反射能の良好な金属膜を被覆させるか、たとえば二酸化チタンを含有するアクリル樹脂からなる白色塗料を用いて塗装することにより作成することができる。
【００４５】
また、材料そのものが白色に調整された樹脂材料（例えばクラレ製；白色ジェネスタ）等を成形しそのままリフレクター枠体１０として使用することも可能であり、さらに言えばアルミニウムやステンレス等の金属材料を加工したものも適用可能である。この場合のリフレクター枠体１０の全反射率は可視光領域で８０％以上が望ましく、９０％以上がさ
らに好ましい。
【００４６】
特に、射出成形によってリフレクター枠体１０を成形した場合には、複数の開口部１２を一度に形成することが容易で、しかも量産性に優れるため、コスト的に安価に形成することができる。
【００４７】
また、射出成形する際に用いられる金型において、リフレクター枠体１０の各開口部１２となる部分を入れ子状に形成しておけば、後述するように、開口部１２の形状が変わっても、入れ子の交換のみで異なる開口部１２の形状を有するリフレクター枠体１０を成形することが可能になる。
【００４８】
さらに、開口部１２の大きさは、ＬＥＤ集合体３０の外方を覆うことができるようにＬＥＤ集合体３０の形成域よりも若干大きく形成され、また開口部１２の断面形状は、図３（ｂ）に示したようにＬＥＤ集合体３０に向かって開口径が小さくなるように傾斜された傾斜面１４となっている。なお、傾斜面１４の傾斜角度αは、９０＜α＜１２０度とすることが好ましい。
【００４９】
このような開口部１２が形成されたリフレクター枠体１０を、図４（ｂ）に示したように、発光素子実装用基板２２の上に配置すれば、各開口部１２は、各ＬＥＤ集合体３０上に合致される。
【００５０】
ここで、発光素子実装用基板２２上にリフレクター枠体１０を配置する場合には、接着剤を介して配置することが好ましい。また、リフレクター枠体１０の開口部１２内に、シリコーン樹脂等の透明な封止樹脂を埋設すれば、ボンディングワイヤ（図示せず）などを保護することができる。
【００５１】
リフレクター枠体１０の開口部１２内への封止樹脂の埋設方法は特に限定されるものではなく、例えばディスペンサによるポッティングを適用することもできるが、必要に応じて開口部１２に対応した開口を有するメタルマスク等を用いてスクリーン印刷する方法を用いると作業性がよく好適である。
【００５２】
このようにして、位置ずれなどを生じさせることなく一体化された面光源装置４０を得ることができる。
また、このようにして面光源装置４０を作成すれば、例えば液晶ディスプレイに代表される表示装置など広範囲における面光源装置４０を作成する場合であっても、多数のリフレクター枠体１０を設けたり配置したりする必要がないので、面光源装置４０の作成が容易となる。よって、コスト的にも安価で、容易に面光源装置を作成することができる。
【００５３】
図５は本発明の他の実施形態によるリフレクター枠体を備えた面光源装置４０を示したものである。
図５に示した面光源装置４０は、図２から図４に示した上記実施形態と主要部は同じ構成であるので、同じ構成要素には同じ符号を付してその詳細な説明を省略する。
【００５４】
図５に示した面光源装置４０では、リフレクター枠体１０に複数設けられた開口部１２が円形となっている。
このように、開口部１２を円形とすれば、各ＬＥＤチップ２４、２６、２８から発せられる光をどの位置からであっても効率良く、白色光として照射することができる。
【００５５】
また、開口部１２が円形であれば、リフレクター枠体１０を成形するための金型の加工がさらに容易である。
図６は本発明のさらに他の実施形態によるリフレクター枠体を備えた面光源装置４０を示したものである。
【００５６】
図６に示したリフレクター枠体１０を備えた面光源装置４０も、図２から図４に示した上記実施形態と主要部は同じ構成であるので、同じ構成要素には同じ符号を付してその詳細な説明を省略する。
【００５７】
図６に示したリフレクター枠体１０を備えた面光源装置４０は、各ＬＥＤチップ２４、２６、２８が、発光素子実装用基板２２の上面に直線状に配置されている。
このように、各ＬＥＤチップ２４、２６、２８が、直線状に配置されていれば、各ＬＥＤチップ２４、２６、２８を単位面積に無駄無く密に設けることができるため、充分な輝度を得ることができる。
【００５８】
図７は本発明のさらに他の実施形態におけるリフレクター枠体を備えた面光源装置４０を示したものである。
図７に示した面光源装置４０も同じ構成要素には同じ符号を付してその詳細な説明を省略する。
【００５９】
図７に示した面光源装置４０は、複数のＬＥＤ集合体３０を一つのグループとして、これらのグループに対して一つの開口部１２を対応させて形成したものである。
このように、複数のＬＥＤ集合体３０を一つのグループとし、かつ一つの開口部１２が形成されていれば、１つのＬＥＤ集合体３０ごとに１つの開口部１２を設けた面光源装置４０に比べ、ＬＥＤチップ２４、２６、２８を密に設けることができる。このため、充分な輝度を得ることができる。
【００６０】
以上、本発明の好ましい実施の態様を説明してきたが、本発明はこれらに限定されることはない。
例えば、本発明のリフレクター枠体およびリフレクター枠体を備えた面光源装置、ならびに、その面光源装置を用いた表示装置は、発光素子として赤色に発光するＬＥＤチップ２４、緑色に発光するＬＥＤチップ２６、青色に発光するＬＥＤチップ２８を用いて説明したが、例えば図８に示したように、４色以上のＬＥＤチップを使用することも可能である。
【００６１】
４色使用の場合、第４の色としては、例えば演色効果を有する黄緑色に発光するＬＥＤチップ３２を用いることが好ましい。
また、一つの開口部１２に対応するＬＥＤチップの数を、必ずしも揃える必要はない。例えば、赤色に発光するＬＥＤチップを２つ、緑色に発光するＬＥＤチップを１つ、青色に発光するＬＥＤチップを１つ、合計４つを１つの開口部１２に対応させても良いものであり、その組み合わせは限定されるものではない。発光素子は、ＬＥＤチップに限定されず、レンズ部を有するＬＥＤランプを使用することもできる。
【００６２】
さらに、混色が不要な白色発光素子を実装することも可能であり、本発明の目的を逸脱しない範囲で種々の変更や機能追加が可能なものである。
【図面の簡単な説明】
【００６３】
【図１】図１は、本実施の形態が適用される液晶表示装置の全体構成を示す図である。
【図２】図２は、本発明の一実施形態に係るリフレクター枠体が配置される発光素子実装用基板に、予めＬＥＤランプが設置された状態の概略図であり、図２（ａ）は、発光素子実装用基板に３色のＬＥＤランプが取り付けられた状態を示す上面図、図２（ｂ）は図２（ａ）のＸ−Ｘ線による断面図である。
【図３】図３は、本発明の一実施形態に係るリフレクター枠体が配置された面光源装置の概略図であり、図３（ａ）は上面図、図３（ｂ）は図３（ａ）のＸ−Ｘ線による分解断面図である。
【図４】図４は、本発明の一実施形態に係るリフレクター枠体が配置された面光源装置の概略図であり、図４（ａ）は上面図、図４（ｂ）は図４（ａ）のＸ−Ｘ線による組立断面図である。
【図５】図５は、本発明のさらに他の実施形態に係るリフレクター枠体が配置された面光源装置の概略図であり、図５（ａ）は上面図、図５（ｂ）は図５（ａ）のＸ−Ｘ線による組立断面図である。
【図６】図６は、本発明のさらに他の実施形態に係るリフレクター枠体が配置された面光源装置の概略図であり、図６（ａ）は上面図、図６（ｂ）は図６（ａ）のＸ−Ｘ線による組立断面図である。
【図７】図７は、本発明のさらに他の実施形態に係るリフレクター枠体が配置された面光源装置の概略図であり、図７（ａ）は上面図、図７（ｂ）は図７（ａ）のＸ−Ｘ線による組立断面図である。
【図８】図８は、本発明のさらに他の実施形態において採用された発光素子の概略図である。
【図９】図９は、従来のエッジライト型のバックライト光源を示す概略断面図である。
【図１０】図１０は、従来の直下型のバックライト光源を示す概略断面図である。
【図１１】図１１は、従来のスリーインワンパッケージの概略図であり、図１１（ａ）は平面図、図１１（ｂ）は図１１（ａ）のＸ−Ｘ線による組立断面図である。
【図１２】図１２は、リフレクター枠体の内周面に反射材を備えた従来の発光表示装置の概略断面図である。
【符号の説明】
【００６４】
１０・・・リフレクター枠体
１２・・・開口部
１４・・・傾斜面
２２・・・発光素子実装用基板
２４・・・赤色に発光するＬＥＤチップ
２６・・・緑色に発光するＬＥＤチップ
２８・・・青色に発光するＬＥＤチップ
３０・・・集合体
３２・・・黄緑色に発光するＬＥＤチップ
４０・・・面光源装置
５０・・・バックライト装置（バックライト）
５１・・・バックライトフレーム
５２・・・ＬＥＤ基板（発光素子実装用基板）
５３・・・拡散部材（板、シート）
５４・・・プリズムシート
５５・・・プリズムシート
６０・・・液晶表示モジュール
６１・・・液晶パネル
６２・・・偏光板（偏光フィルタ）
６３・・・偏光板（偏光フィルタ）
α・・・傾斜角度
１００・・・バックライト光源
１０２・・・筐体
１０４・・・冷陰極管
１０６・・・導光板
１０８・・・拡散シート
１１０・・・液晶パネル
１１２・・・液晶表示装置
１１４・・・側部
１１６・・・反射層
１１８・・・上面
２００・・・バックライト光源
２０２・・・筐体
２０４・・・底面
２０６・・・ランプ
２０８・・・拡散シート
２１０・・・プリズムシート
２１２・・・側面
２１４・・・反射層
３００・・・スリーインワンパッケージ
３０２・・・赤色に発光するＬＥＤチップ
３０４・・・緑色に発光するＬＥＤチップ
３０６・・・青色に発光するＬＥＤチップ
３０８・・・リフレクター枠体
３１０・・・発光素子実装用基板
３１２・・・開口部
４００・・・発光表示装置
４０２・・・リフレクター枠体
４０４・・・反射材
４０６・・・ＬＥＤランプ
【図１】
2007180524.tif 000003
【図２】
2007180524.tif 000004
【図３】
2007180524.tif 000005
【図４】
2007180524.tif 000006
【図５】
2007180524.tif 000007
【図６】
2007180524.tif 000008
【図７】
2007180524.tif 000009
【図８】
2007180524.tif 000010
【図９】
2007180524.tif 000011
【図１０】
2007180524.tif 000012
【図１１】
2007180524.tif 000013
【図１２】
2007180524.tif 000014